(57)【要約】      （修正有）【課題】野菜や果物等の商品の収納・陳列時に使用される樹脂製のコンテナの外観における審美性を高められる、コンテナの外側に配置固定される木目調のプレートを提供する。【解決手段】木目調のプレート１は、樹脂製のコンテナ３の外側に配置固定されるプレートであって、硬質発泡ウレタンから構成されており、プレート１の表面には木目の凹凸加工と模様が施されており、また、プレート１の裏面にはプレート１を樹脂製のコンテナ３に配置固定するための止め具２が取り付けられている。【選択図】図２
0003224082.tif 000002
【実用新案登録請求の範囲】
【請求項１】
商品の収納・陳列時に使用される樹脂製のコンテナの外観における審美性を高めることを目的として、当該樹脂製のコンテナの外側に配置固定されるプレートであって、当該プレートは、硬質発泡ウレタンから構成されており、当該プレートの表面には木目の凹凸加工と模様が施されており、また、当該プレートの裏面には当該プレートをコンテナに配置固定するための止め具が取り付けられていることを特徴とする樹脂製のコンテナ用の木目調のプレート。
【請求項２】
前記樹脂製のコンテナ用の木目調のプレートが、もっぱら折り畳み式樹脂製のコンテナの外側に配置固定されるように構成されていることを特徴とする、請求項１に記載の樹脂製のコンテナ用の木目調のプレート。
【考案の詳細な説明】
【技術分野】
【０００１】
本考案は、野菜や果物等の商品の収納・陳列時に使用される樹脂製のコンテナの外観における審美性を高めることを目的として、当該コンテナの外側に配置固定される木目調のプレートに関するものである。
【背景技術】
【０００２】
従来より、生鮮食品を取り扱うスーパーマーケット等の小売店においては、野菜や果物等の商品の販売手法の一つとして、商品を樹脂製のコンテナに収納・陳列し、販売する手法が採用されている。当該手法は、売り場への商品搬入に使用される樹脂製のコンテナをそのまま利用することによって、陳列作業を簡素化し、業務の効率化が図れる等という利点を有している。
【０００３】
しかしながら、このような販売手法は、樹脂製のコンテナが持つ外観の影響により、商品什器に陳列した場合よりも、低廉なイメージを呈してしまうという欠点も有してしまっている。
【０００４】
そこで、このような欠点の解消を図るべく、現在においては、以下１〜３に示すような対策が検討・試行されている。
【０００５】
＜対策例１＞
内容：コンテナの外側面において、木目模様を直接印刷する
課題：コンテナへの印刷工程が必要となるため費用が嵩む
コンテナの寿命が尽きるまで模様を変えることができない
コンテナの外観が劣化した場合に、これを回復させることが困難である
印刷のため凹凸が無く、リアリティさに欠ける
【０００６】
＜対策例２＞
内容：木目模様を印刷した紙製シートをコンテナの外側に配置固定する
課題：印刷のため凹凸が無く、リアリティさに欠ける
紙製のため、耐久性に乏しい
【０００７】
＜対策例３＞
内容：本物の木材によって製造したコンテナを使用する
課題：カビの発生や腐敗の可能性が有り、衛生面での不安がある
重量が嵩むため、搬入作業等の負担を増大させてしまう
ささくれ等が発生する恐れがあり、安全面での不安もある
【０００８】
以上のような対策も、それぞれ解決すべき課題を有しており、これらの課題を解決できるような製品は、未だ創作がなされていなかった。
【０００９】
本願考案者は、このような実情のもと、従来の課題を解決できるような製品について鋭意検討を重ねた。その結果、本願考案者は、樹脂製のコンテナの外側に配置固定されるプレートを、硬質発泡ウレタンによって構成し、当該プレートの表面に木目の凹凸加工と模様を施し、また、当該プレートの裏面に当該プレートをコンテナに配置固定するための止め具を取り付けることによって、以上に述べたような従来の課題を解決できる製品を得られるという知見を得、本考案を創作するに至った。
【００１０】
なお、本考案に係る木目調のプレートは、木目模様がリアルに表現されており、色や模様の詳細を任意に変更することができるので、使用者の要望に応じて、様々な色や模様を容易に提供することが可能となっている。さらに、当然ながら、木目模様の上に、文字やロゴマークを印刷することも可能である。加えて、本考案に係る木目調のプレートは、硬質発泡ウレタンから構成されており、表面に凹凸加工が施されていることから、より自然の木材に近い、リアリティの有る外観を再現している。
【考案の概要】
【考案が解決しようとする課題】
【００１１】
本考案は、野菜や果物等の商品の収納・陳列時に使用される樹脂製のコンテナの外観における審美性を高められる、当該コンテナの外側に配置固定される木目調のプレートを提供することを目的とする。
【課題を解決するための手段】
【００１２】
そのための手段として、本考案に係る木目調のプレートは、樹脂製のコンテナの外側に配置固定されるプレートであって、当該プレートは、硬質発泡ウレタンから構成されており、当該プレートの表面には木目の凹凸加工と模様が施されており、また、当該プレートの裏面には当該プレートを樹脂製のコンテナに配置固定するための止め具が取り付けられていることを特徴としている。
【００１３】
また、本考案に係る木目調のプレートは、もっぱら折り畳み式樹脂製のコンテナの外側に配置固定されるように構成されていることも特徴としている。
【考案の効果】
【００１４】
本考案によれば、野菜や果物等の商品の収納・陳列時に使用される樹脂製のコンテナの外観における審美性を高められる、当該コンテナの外側に配置固定される木目調のプレートを提供することができる。
【図面の簡単な説明】
【００１５】
【図１】本考案の実施形態に係る木目調のプレート１の外観図
【図２】木目調のプレート１に取り付けられた止め具２，２を示した図
【図３】止め具２の形状の一例を示した図
【図４】止め具２の形状の一例を示した図
【図５】木目調のプレート１が使用される前のコンテナ３の使用例を示した図
【図６】木目調のプレート１の使用例を示した図
【考案を実施するための形態】
【００１６】
以下、本考案に係る木目調のプレートを実施するための形態について、図面を参照しながら説明する。図１は、本実施形態に係る木目調のプレートを、その表面側から見た外観を示したものである。木目調のプレート１は、硬質発泡ウレタンから構成されており、その表面には木目の凹凸加工と模様が施されている。なお、木目調のプレート１の高さと幅は、配置固定しようとする樹脂製のコンテナの側面のサイズに合わせて形成し、また、その厚さは、６ｍｍ〜２０ｍｍの範囲内で形成するようにする。
【００１７】
木目調のプレート１の裏面には、図２に示したように、その上部において、二つの止め具２，２が取り付けられている。二つの止め具は、下側が開口しており、図示されているように、コンテナ３の側面に外側から引っ掛けられるような構造をしている。この止め具２，２の機能によって、木目調のプレート１は、コンテナ３の外側側面において配置固定されるようになっている。図３では、この止め具２を拡大して示した。
【００１８】
そして、本実施形態に係る木目調のプレート１は、図４に示したように、陳列時に上下逆さまに置かれた樹脂製のコンテナにおいても使用することが可能である。この場合は、図４で示したように、木目調のプレート１及び止め具２の双方の上端面の高さが揃うように、止め具２を木目調プレート１へと配置することによって、コンテナ３へと好適に引っ掛けることができる。なお、止め具２には、このような高さ調節が好適にできるよう、図２〜図４で示したような、コの字型をしたネジ孔が設けられている。
【００１９】
本実施形態に係る木目調のプレート１は、以上のような構成をしているので、図５に示したような、複数の樹脂製のコンテナ３を組み合わせて構成した商品の陳列台の外側において配置固定されるようになっている。図６では、複数の木目調のプレート１を、コンテナ３の外側に配置固定したものの外観を示した。
【００２０】
なお、以上の実施形態においては、コンテナ３として、折り畳み可能なように構成された樹脂製のコンテナ（いわゆる「折り畳み式コンテナ」）での使用を想定しているが、当然ながら、本実施形態に係る木目調のプレート１は、折り畳み式コンテナではない普通のコンテナにおいて使用することも可能である。
【産業上の利用可能性】
【００２１】
本考案は、以上に説明したような構成となっているので、本考案によれば、野菜や果物等の商品の収納・陳列時に使用される樹脂製のコンテナの外観における審美性を高められる、コンテナの外側に配置固定される木目調のプレートを提供することができる。
【００２２】
また、本考案に係る木目調のプレートは、硬質発泡ウレタンから構成されているので、水に強くて汚れが着きにくいという利点を有している。さらに、仮に汚れが着いても、水拭きによりこれを容易に落とすことができ、従来のものと比べても、衛生面において非常に優れた製品となっている。また、木材からなるコンテナのように、ささくれが発生する恐れも無く、安全面においても優れた製品となっている。
【００２３】
さらに、本考案に係る木目調のプレートは、樹脂製のコンテナの側面に引っ掛けるだけで使用できるシンプルな構造となっているので、誰もが容易に、非常に短い時間で、樹脂製のコンテナの外観における審美性を高められるようにもなっている。
【００２４】
また、本考案に係る木目調のプレートは、木目模様がリアルに表現されており、色や模様の詳細を任意に変更することができるので、使用者の要望に応じて、様々な色や模様を容易に提供することが可能となっている。さらに、当然ながら、木目模様の上に、文字やロゴマークを印刷することも可能である。加えて、本考案に係る木目調のプレートは、硬質発泡ウレタンから構成されており、表面に凹凸加工が施されていることから、より自然の木材に近い、リアリティの有る外観を再現している。
【００２５】
なお、本考案は、当然ながら、以上の実施形態で説明した木目調のプレートに限定されるものではない。さらに、本考案の範囲には、本考案の技術的思想が具現化されたものも含まれるものとする。
【符号の説明】
【００２６】
１  ：木目調のプレート、
２  ：止め具、
３  ：樹脂製のコンテナ
【図１】
0003224082.tif 000003
【図２】
0003224082.tif 000004
【図３】
0003224082.tif 000005
【図４】
0003224082.tif 000006
【図５】
0003224082.tif 000007
【図６】
0003224082.tif 000008